(57)【要約】【課題】  送する情報量を増加させるため、位相シフトの相変化の数増加しなえればならない要求がある。しかしながら、信号復調器は位相変化を取り出すための構成が、複雑で大型する問題があった。【解決手段】  複数のシンボルを備える光信号を復調するように動作可能な復調器において、入力した光信号を複数の対を成すようｍ分割する１×ｍ光カプラと、光信号の対に関連づけられた少なくとも２の光学装置セットを備え、光学装置セットは、信号の対のうちの第１の信号を導く第１の経路と、信号の対のうちの第２の信号を遅延あせて導く第２の経路と、第１の経路と第２の経路からの光信号を結合するカプラと、結合された光の建設的及び相殺的干渉を検出するフォトダイオードを備えた光電変換部とを備える。【選択図】図２
2008017443.tif 000002
【特許請求の範囲】
【請求項１】
入力信号を復調するための復調器であって、
複数のシンボルを備える該入力信号を分割して、ｍ／２対の信号を備えるｍ個の信号を生じさせる１×ｍ光カプラと、
該信号の対に関連づけられた１つ以上の光学装置セットを備え、
該光学装置セットは、該信号の対のうちの第１の信号を第１の経路に沿って導く第１の光オペレータと、該信号の対のうちの第２の信号を該第１の信号と該第２の信号間のシンボル遅延を導く第２の経路に沿って導く第２の光オペレータと、該第１の信号および該第２の信号を受信してシンボルに対応する位相と複数のシンボルのうちの後続シンボルに対応する後続位相との間の位相シフトを示す干渉を生成するセットカプラと
を備えたことを特徴とする復調器。
【請求項２】
該第１の光オペレータは第１の導波路を備え、
該第２の光オペレータは第２の導波路を備えることを特徴とする請求項１に記載の復調器。
【請求項３】
該光学装置セットは該第１の信号と該第２の信号との間の位相遅延を導くことをさらに含む請求項１記載の復調器。
【請求項４】
該光学装置セットは薄膜ヒータを使用して、遅延を調整することをさらに含むことを特徴とする請求項１に記載の復調器。
【請求項５】
該入力信号は、ｎ位相シフトキーイング変調に従って変調され、ｎ＝２Ｐであり、
ｍは２ｐであることを特徴とする請求項１に記載の復調器。
【請求項６】
該入力信号は、４位相シフトキーイング変調に従って変調され、
ｍは４であり、
該ｍ/２の対の第１の対の該第２信号に＋π／４の位相遅延をに導くことと、
該ｍ/２の対の第２の対の該第２の信号に−π／４の位相遅延を導くことをさらに含むことを特徴とする請求項１に記載の復調器。
【請求項７】
入力信号は、８位相シフトキーイング変調に従って変調され、
ｍは６であり、
該ｍ/２の対の第１の対の該第２信号に＋π／４の位相遅延を導くことと、
該ｍ/２の対の第２の対の該第２信号に＋７π／４の位相遅延を導くことと、
該ｍ/２の対の第３の対の該第２信号に＋１８π／８の位相遅延を導くことをさらに含むことを特徴とする請求項１に記載の復調器。
【請求項８】
該セットカプラの干渉を検出することと、位相シフトを表す検出器信号を生成する光電変換部をさらに備えることを特徴とする請求項１に記載の復調器。
【請求項９】
該光電変換部は相殺的干渉と建設的干渉を検出することをさらに含むことを特徴とする請求項８に記載の復調器。
【発明の詳細な説明】
【技術分野】
【０００１】
本発明は、一般的には、光信号通信の分野に関し、より特定的には、光信号復調器に関する。
【背景技術】
【０００２】
光信号は、差動位相シフトキーング（ＤＰＳＫ）デジタル変調技術に従って変調される場合がある。本手法によれば、位相の変化を使用して、ビットデータを表す。送信器における変調器は、入力ビットシーケンスを変換して、入力ビットシーケンスを表す位相変化にする。受信器における復調器は、位相変化を変換して、入力ビットシーケンスを取り出す。
【０００３】
一方で、伝送する情報量を増加させるため、位相シフトの位相変化のパターン数を多値変調して増加しなければならない要求がある。しかしながら、信号復調器は位相変化を取り出すための構成が、複雑で大型化する問題があった。
【０００４】
差動位相シフトキーングを用いたシステムとして、特許文献１が知られている。
【特許文献１】特開２００６−３５３７５号公報
【発明の開示】
【発明が解決しようとする課題】
【０００５】
本発明の課題は位相変化を強度変化として取り出す光信号復調器を簡易な構成で提供することである。
【課題を解決するための手段】
【０００６】
上記の課題を解決するための手段として、複数のシンボルを備える光信号を復調するように動作可能な復調器は、入力した光信号を複数の対を成すようｍ分割する１×ｍ光カプラと、
光信号の対に関連づけられた少なくとも２の光学装置セットを備え、該光学装置セットは、信号の対のうちの第１の信号を導く第１の経路と、信号の対のうちの第２の信号を遅延あせて導く第２の経路と、該第１の経路と該第２の経路からの光信号を結合するカプラと、結合された光の建設的及び相殺的干渉を検出するフォトダイオードを備えた光電変換部とを備える。
【発明の効果】
【０００７】
本発明によれば、位相シフトの位相変化のパターンが多いシステムでも簡易な構成で位相変化を取り出す信号復調器を構成できる。
【発明を実施するための最良の形態】
【０００８】
以下、図面を参照して本発明の実施形態について説明する。実施形態の構成は例示であり、本発明は実施形態の構成に限定されない。
【０００９】
本発明によれば、差動位相シフトキーイング信号を復調するためのこれまでの手法に関連した不都合および問題が緩和または解消されることになろう。
【００１０】
本発明の一実施形態によれば、復調器は、１×ｍ光カプラと、１つ以上の光学装置セットとを含む。１×ｍ光カプラは、シンボルを備える入力信号を分割して、ｍ／２対の信号を備えるｍ個の信号を生じさせる。光学装置セットは、信号の対に関連づけられており、１つ以上の第１の光オペレータと、１つ以上の第２の光オペレータと、セットカプラとを含む。第１の光オペレータは、信号の対のうちの第１の信号を第１の経路に沿って導き、第２の光オペレータは、当該対のうちの第２の信号を第２の経路に沿って導く。第２の経路は、第１の信号と第２の信号との間のシンボル遅延を導く。セットカプラは、第１および第２の信号を受信して、干渉を生成する。干渉は、シンボルに対応する位相と、後続シンボルに対応する後続位相との間の位相シフトを表す。
【００１１】
本発明のある実施形態は、１つ以上の技術的利点を提供することがある。一実施形態の技術的利点の１つは、復調器が、信号を分割してｍ個の信号にするように動作可能な１×ｍカプラを含むことであろう。連続する１×２カプラの代わりに１×ｍカプラを使用することによって、復調器の複雑さが軽減されるであろう。
【００１２】
本発明のある実施形態は、上記の技術的利点のうちのいくつかまたはすべてを含むか、もしくはまったく含まないこともある。当業者にとって、１つまたはそれ以上の他の技術的利点が、本明細書に含まれる図面、説明、およびクレームから容易に明らかであろう。
【００１３】
本発明の実施形態ならびにその利点は、図面の図１から４を参照することによって最もよく理解される。同様の数字は、様々な図面の同様または対応部分に使用される。
【００１４】
図１は、差動位相シフトキーイング（ＤＰＳＫ）変調手法に従って信号を通信するためのシステムの一実施形態を示すブロック図である。本実施形態によれば、システム１０は、信号を分割してｍ個の信号にするように動作可能な１×ｍカプラを含む復調器を含む。連続する１×２カプラの代わりに１×ｍカプラを使用することによって、復調器の複雑さが軽減されるであろう。
【００１５】
本実施形態によれば、システム１０は、信号を通信する。信号とは、光子を備える光パルスとして送信される光信号のことを指してもよい。光信号は、約１５５０ナノメートルの波長を有するキャリアを利用でき、例えば、毎秒１０，２０，４０または４０ギガビット以上のデータレートであってもよい。信号は、パケット内の情報を通信してもよい。パケットは、特定のやり方で組織化されて送信されるデータの束を備えていてもよい。パケットは、声、データ、音声、映像、マルチメディア、他の情報、または上記の任意の組み合わせのような任意の適切な情報を載せていてもよい。
【００１６】
システム１０は、構成要素の動作を行うように動作可能な要素の適切な配列を含む構成要素を含み、論理、インターフェース、メモリ、または上記の任意の適切な組み合わせを備えていてもよい。「論理」とは、ハードウェア、ソフトウェア、他の論理、または上記の任意の適切な組合せのことを指してもよい。ある論理は、装置の動作を管理してもよく、例えば、プロセッサを備えていてもよい。「プロセッサ」とは、動作を行うために命令を実行してデータを操作するように動作可能な任意の適切な装置のことを指してもよい。
【００１７】
「インターフェース」とは、装置に対する入力を受信し、装置から出力を送信し、当該入力または出力もしくはその両方もしくは上記の任意の組み合わせの適切な処理を行うように動作可能な装置の論理のことを指してもよく、１つ以上のポート、変換ソフトウェア、またはその両方を備えていてもよい。「メモリ」とは、情報の記憶およびその取出しの促進するように動作可能な論理のことを指してもよく、ランダムアクセスメモリ（ＲＡＭ）、読み出し専用メモリ（ＲＯＭ）、磁気ドライブ、ディスクドライブ、コンパクトディスク（ＣＤ）ドライブ、デジタルビデオディスク（ＤＶＤ）ドライブ、リムーバブルメディアストレージ、任意の他の適切なデータ記憶媒体、または上記の任意の組み合わせを備えることができる。
【００１８】
図示の実施形態によれば、システム１０は、信号を受信器３２へ通信するように動作可能な送信器２０を含む。送信器２０は、ＤＰＳＫ変調に従って信号を符号化する変調器２４を含む。受信器３２は、符号化された信号を復号化する復調器２８を含む。
【００１９】
本実施形態によれば、変調器２４は、時間スロットｋについて入力ビットｂｋを有する信号を受信する。変調器２４は、ビットｂｋを符号化して、変調信号ｍｋを生じさせる。変調器２４は、例えばマッハ‐ツェンダー変調器などの任意の適切な変調器を備えることができる。変調器２４は、連続波の光ビームを放出するレーザを有していてもよく、光ビームを変調してビットｂｋを符号化することもできる。
【００２０】
ビットｂｋは、連続シンボル間の位相シフトがビットｂｋを表すＤＰＳＫ変調に従って符号化できる。ｎ位相シフトキーイング（ｎ‐ＰＳＫ）変調によれば、ｎ個の互いに異なるレベルの位相シフトを使用して、シンボル毎にｐビットを符号化可能である。ここで、ｎ＝２ｐである。一例として、４‐ＰＳＫまたは差動４位相シフトキーイング（ＤＱＰＳＫ）によれば、４つの位相差を使用して、シンボル毎に２ビットを符号化する。ある場合には、位相シフト０度、９０度、１８０度、および−９０度を使用して、「００」、「０１」、「１１」、「１０」をそれぞれ符号化してもよい。他の例として、８‐ＰＳＫによれば、８つの位相差を使用して、シンボル毎に３ビットを符号化する。
【００２１】
送信器２０は、変調信号ｍｋを受信器３２へ送信する。受信器３２の復調器２８は、信号ｍｋを復調して、符号化手順を逆に進めてビットｂｋを生じさせる。信号ｍｋを復調するには、復調器２８は、連続シンボル間の位相シフトを比較する。復調器２８は、信号ｍｋを分割して、複数の信号を生じさせてもよい。複数の信号のうちの１つの信号を１シンボル分だけ遅延させて、遅延信号を生じさせてもよい。遅延信号および遅延信号は、連続シンボルの位相を比較するために、部分的に重なり合っていてもよい。位相の比較は、部分的に重なり合った信号を建設的または相殺的に干渉することによって比較できる。復調器２８は、当該干渉を検知して、当該干渉を表す検知器信号を生成するフォトダイオードを含む事ができる。
【００２２】
一実施形態によれば、復調器２８は、信号をｍ個の信号に分割するように動作可能な１×ｍカプラを含む。連続する１×２カプラの代わりに１×ｍカプラを使用することによって、復調器２８の複雑さが軽減できる。
【００２３】
復調器２８の例を、図２を参照してより詳細に説明する。本発明の範囲から逸脱することなく、システム１０に対して修正、追加、または省略が行われてもよい。システム１０の構成要素は、特定の必要性に応じて、統合されるか、または分離してもよい。さらに、システム１０の動作は、より多い数の装置、より少ない数の装置、または他の装置によって行うことができる。加えて、システム１０の動作は、任意の適切な論理を使用して行うことができる。本明細書において使用されるように、「各」とは、セットの各部材またはセットのサブセットの各部材のことを指す。
【００２４】
図２は、信号をｍ個の信号に分割するように動作可能な１×ｍカプラを含む復調器２８の一実施形態を示す図である。連続する１×２カプラの代わりに１×ｍカプラを使用することによって、復調器２８の複雑さが軽減できる。
【００２５】
図示の実施形態によれば、復調器２８は、入力１２０と、１×ｍカプラ１２４と、複数の位相遅延１２６と、複数のカプラ１２８と、導波路（セットカプラ）１３６によって結合された複数のフォトダイオードからなる光電変換部１３２とを含む。入力１２０は、入力信号を受信するように動作可能である。カプラ１２４は、信号を、ｍ個の信号か、ｍ／２対の信号１４０に分割するように動作可能であって、単一の光学装置で実施できる。一実施形態によれば、ｍは、ｎ‐ＰＳＫ変調のレベルｎ＝２ｐに従って選択される。本実施形態によれば、ｍは、ｍ＝２ｐとして選択できる。
【００２６】
光学装置セット１３８は、信号の対１４０を受信できる。光学装置セット１３８は、信号に対して通信、フィルタリング、分割、反射、または他の処理を行うように動作可能な光オペレータを備えることができる。図示の例によれば、光学装置セット１３８は、導波路（セットカプラ）１３６を備える。
【００２７】
信号の対１４０は、光学装置セット１３８の経路１４４および１４８に沿ってカプラ１２８へと進行する。経路１４４および１４８の長さの差は、信号間の相対的なシンボル遅延を導く。当該差は、１シンボル長であってもよく、群速度とシンボルレートとの比から設定されてもよい。シンボル遅延により、後続シンボルに対応する位相の比較が可能となる。経路１４４の位相遅延は、経路１４４に沿った信号の位相を遅延させる。位相は、後続のシンボルに対応する位相の比較を可能にするために遅延されてもよい。薄膜ヒータを使用して、遅延を調整できる。
【００２８】
カプラ１２８は、経路１４４および１４８からの信号を結合する。複数のフォトダイオードからなる光電変換部１３２は、結合された信号の建設的および相殺的干渉を検出する。
【００２９】
本発明の範囲から逸脱することなく、復調器２８に対して修正、追加、または省略が行われてもよい。復調器２８の構成要素は、特定の必要性に応じて、統合されるか、または分離できる。さらに、復調器２８の動作は、より多い数の装置、より少ない数の装置、または他の装置によって行う事ができる。
【００３０】
ある実施形態においては、復調器２８は、各信号の対１４０についてカプラを有する復調器よりも構成要素が少ない場合がある。したがって、復調器２８は、挿入損失が軽減され、複雑さが軽減できる。
【００３１】
図３は、４相‐ＰＳＫ復調のために使用されうる復調器２８の一例を示すブロック図である。図示の実施形態によれば、復調器２８は、図示のように導波路（セットカプラ）１３６によって結合された入力１２０と、１×４カプラ１２４と、位相遅延１２６ａ〜ｂと、カプラ１２８ａ〜ｂと、複数のフォトダイオードからなる光電変換部１３２ａ〜ｂとを含む。位相遅延１２６ａは、−π／４の位相遅延を備え、位相遅延１２６ｂは、＋π／４の位相遅延を備える。
【００３２】
図４は、８相‐ＰＳＫ復調のために使用される復調器２８の一例を示すブロック図である。図示の実施形態によれば、復調器２８は、図示のように導波路（セットカプラ）１３６によって結合された入力１２０と、１×６カプラ１２４と、位相遅延１２６ａ〜ｃと、カプラ１２８ａ〜ｃと、複数のフォトダイオードからなる光電変換部１３２ａ〜ｃとを含む。位相遅延１２６ａは、−１５π／８の位相遅延を備え、位相遅延１２６ｂは、＋７π／４の位相遅延を備え、位相遅延１２６ｃは、＋π／４の位相遅延を備える。
【００３３】
図３及び図４では４-相ＰＳＫ復調及び８相-ＰＳＫ復調の例を用いて説明したが、本発明は４-相ＰＳＫ復調及び８相-ＰＳＫ復調に限定されるものではない。本発明は位相遅延量を変えることにより、差動４-相ＰＳＫ復調及び差動８相-ＰＳＫ復調の形式をとりうることも可能である。
【００３４】
本発明のある実施形態は、１つ以上の技術的利点を提供することがある。一実施形態の技術的利点の１つは、復調器が、信号を分割してｍ個の信号にするように動作可能な１×ｍカプラを含むことであろう。連続する１×２カプラの代わりに１×ｍカプラを使用することによって、復調器の複雑さが軽減されるであろう。
【００３５】
特定の実施形態および一般的に関連する方法の点から本開示を説明してきたが、本実施形態および方法の改変および置換は、当業者によって明らかだろう。したがって、実施形態例の上記説明は、本開示を制約するものではない。他の変更、代用、および改変も、以下のクレームによって規定されるような本開示の精神および範囲を逸脱することなく可能である。
【００３６】
上述した実施形態は、以下の発明を開示する。以下の発明は、必要に応じて適宜組み合わせることができる。
【００３７】
［付記１］
信号を復調するように動作可能な復調器であって、
複数のシンボルを備える入力信号を分割して、ｍ／２対の信号を備えるｍ個の信号を生じさせるように動作可能な１×ｍ光カプラと、
信号の対に関連づけられた１つ以上の光学装置セットとを備え、光学装置セットは、
信号の対のうちの第１の信号を第１の経路に沿って導くように動作可能な１つ以上の第１の光オペレータと、
信号の対のうちの第２の信号を、第１の信号と第２の信号間のシンボル遅延を導く第２の経路に沿って導くように動作可能な１つ以上の第２の光オペレータと、
第１の信号および第２の信号を受信して、シンボルに対応する位相と、複数のシンボルのうちの後続シンボルに対応する後続位相との間の位相シフトを示す干渉を生成するように動作可能なセットカプラと
を備える復調器。
【００３８】
［付記２］
１つ以上の第１の光オペレータは、１つ以上の第１の導波路を備え、
１つ以上の第２の光オペレータは、１つ以上の第２の導波路を備える付記１に記載の復調器。
【００３９】
［付記３］
１つ以上の第２の光オペレータは、
第１の信号と第２の信号との間の位相遅延を導くように動作可能な位相遅延をさらに備える付記１に記載の復調器。
【００４０】
［付記４］
１つ以上の光装置セットのうちのある光装置は、
遅延を調整するように動作可能な薄膜ヒータをさらに備える付記１に記載の復調器。
【００４１】
［付記５］
入力信号は、ｎ位相シフトキーイング変調に従って変調され、ｎ＝２Ｐであり、
ｍは２ｐである、付記１に記載の復調器。
【００４２】
［付記６］
入力信号は、４位相シフトキーイング変調に従って変調され、
ｍは４であり、
１つ以上の光学装置セットは、
＋π／４の位相遅延を第１の対の第２の信号に導くように動作可能な第１の位相遅延と、
−π／４の位相遅延を第２の対の第２の信号に導くように動作可能な第２の位相遅延とを備える付記１に記載の復調器。
【００４３】
［付記７］
入力信号は、８位相シフトキーイング変調に従って変調され、
ｍは６であり、
１つ以上の光装置セットは、
＋π／４の位相遅延を第１の対の第２の信号に導くように動作可能な第１の位相遅延器と、
＋７π／４の位相遅延を第２の対の第２の信号に導くように動作可能な第２の位相遅延器と、
＋１８π／８の位相遅延を第３の対の第２の信号に導くように動作可能な第３の位相遅延器と
を備える付記１に記載の復調器。
【００４４】
［付記８］
光装置セットは、
干渉を検出し、
位相シフトを表す検出器信号を生成するように動作可能な複数の光ダイオードをさらに備える付記１に記載の復調器。
【００４５】
［付記９］
光学装置セットは、干渉を検出するように動作可能な複数の光ダイオードをさらに備え、複数の光ダイオードは、
相殺的干渉を検出するように動作可能な第１の光ダイオードと、
建設的干渉を検出するように動作可能な第２の光ダイオードと
をさらに備える付記１に記載の復調器。
【００４６】
［付記１０］
信号を復調するための方法であって、
１×ｍ光カプラにおいて、複数のシンボルを備える入力信号を分割して、ｍ／２対の信号を備えるｍ個の信号を生じさせることと、
信号の対に関連づけられた１つ以上の光学装置セットの各光学装置セットにおいて、
１つ以上の第１の光オペレータを使用して、信号の対のうちの第１の信号を第１の経路に沿って導くことと、
１つ以上の第２の光オペレータを使用して、信号の対のうちの第２の信号を、第１の信号と第２の信号間のシンボル遅延を導く第２の経路に沿って導くことと、
セットカプラにおいて、第１の信号および第２の信号を受信して、シンボルに対応する位相と、複数のシンボルのうちの後続シンボルに対応する後続位相との間の位相シフトを示す干渉を生成すること
を行うことを含む方法。
【００４７】
［付記１１］
１つ以上の第１の光オペレータは、１つ以上の第１の導波路を備え、
１つ以上の第２の光オペレータは、１つ以上の第２の導波路と
を備える付記１０に記載の方法。
【００４８】
［付記１２］
第１の信号と第２の信号との間の位相遅延を導くことをさらに含む付記１０に記載の方法。
【００４９】
［付記１３］
１つ以上の光学装置セットのうちのある光学装置セットの薄膜ヒータを使用して、遅延を調整することをさらに含む付記１０に記載の方法。
【００５０】
［付記１４］
入力信号は、ｎ位相シフトキーイング変調に従って変調され、ｎ＝２Ｐであり、
ｍは２ｐである、付記１０に記載の方法。
【００５１】
［付記１５］
入力信号は、４位相シフトキーイング変調に従って変調され、
ｍは４であり、
＋π／４の位相遅延を第１の対の第２の信号に導くことと、
−π／４の位相遅延を第２の対の第２の信号に導くことをさらに含む付記１０に記載の方法。
【００５２】
［付記１６］
入力信号は、８位相シフトキーイング変調に従って変調され、
ｍは６であり、
＋π／４の位相遅延を第１の対の第２の信号に導くことと、
＋７π／４の位相遅延を第２の対の第２の信号に導くことと、
＋１８π／８の位相遅延を第３の対の第２の信号に導くことをさらに含む付記１０に記載の方法。
【００５３】
［付記１７］
干渉を検出することと、
位相シフトを表す検出器信号を生成することをさらに含む付記１０に記載の方法。
【００５４】
［付記１８］
相殺的干渉を検出することと、
建設的干渉を検出することによって干渉を検出することをさらに含む付記１０に記載の方法。
【００５５】
［付記１９］
信号を復調するためのシステムであって、
１×ｍ光カプラにおいて、複数のシンボルを備える入力信号を分割して、ｍ／２対の信号を備えるｍ個の信号を生じさせるための手段と、
信号の対に関連づけられた１つ以上の光学装置セットの各光学装置セットにおいて、
１つ以上の第１の光オペレータを使用して、信号の対のうちの第１の信号を第１の経路に沿って導くことと、
１つ以上の第２の光オペレータを使用して、信号の対のうちの第２の信号を、第１の信号と第２の信号間のシンボル遅延を導く第２の経路に沿って導くことと、
セットカプラにおいて、第１の信号および第２の信号を受信して、シンボルに対応する位相と、複数のシンボルのうちの後続シンボルに対応する後続位相との間の位相シフトを示す干渉を生成することと
を行うための手段とを備えるシステム。
【００５６】
［付記２０］
信号を復調するように動作可能な復調器であって、
複数のシンボルを備える入力信号を分割して、ｍ／２対の信号を備えるｍ個の信号を生じさせるように動作可能な１×ｍ光カプラと、
信号の対に関連づけられた１つ以上の光学装置セットとを備え、光学装置セットは、
信号の対のうちの第１の信号を第１の経路に沿って導くように動作可能な、１つ以上の第１の導波路を備える１つ以上の第１の光オペレータと、
信号の対のうちの第２の信号を、第１の信号と第２の信号間のシンボル遅延を導く第２の経路に沿って導くように動作可能な、１つ以上の第２の導波路を備える１つ以上の第２の光オペレータであって、
第１の信号と第２の信号との間の位相遅延を導くように動作可能な位相遅延をさらに備える、第２の光オペレータと、
第１の信号および第２の信号を受信して、シンボルに対応する位相と、複数のシンボルのうちの後続シンボルに対応する後続位相との間の位相シフトを示す干渉を生成するように動作可能なセットカプラと、
遅延を調整するように動作可能な薄膜ヒータと、
複数のフォトダイオードであって、
干渉を検出し、
位相シフトを表す検出器信号を生成するように動作可能な複数のフォトダイオードであって、
相殺的干渉を検出するように動作可能な第１の光ダイオードと、
建設的干渉を検出するように動作可能な第２の光ダイオードとをさらに備える複数のフォトダイオードとを備え、
入力信号がｎ位相シフトキーイング変調に従って変調される場合、ｎ＝２Ｐなのでｍは２ｐであり、
入力信号が４位相シフトキーイング変調に従って変調される場合、
ｍは４であり、
１つ以上の光学装置セットは、
＋π／４の位相遅延を第１の対の第２の信号に導くように動作可能な第１の位相遅延と、
−π／４の位相遅延を第２の対の第２の信号に導くように動作可能な第２の位相遅延とを備え、
入力信号が８位相シフトキーイング変調に従って変調される場合、
ｍは６であり、
１つ以上の光装置セットは、
＋π／４の位相遅延を第１の対の第２の信号に導くように動作可能な第１の位相遅延器と、
＋７π／４の位相遅延を第２の対の第２の信号に導くように動作可能な第２の位相遅延器と、
＋１８π／８の位相遅延を第３の対の第２の信号に導くように動作可能な第３の位相遅延器と
を備える復調器。
【図面の簡単な説明】
【００５７】
【図１】差動位相シフトキーング（ＤＰＳＫ）変調手法に従って信号を通信するためのシステムの一実施形態を示すブロック図
【図２】信号をｍ個の信号に分割するように動作可能な１×ｍカプラを含む復調器の一実施形態を示す図
【図３】４‐ＰＳＫ復調のために使用されうる復調器の一例を示すブロック図
【図４】８‐ＰＳＫ復調のために使用される復調器の一例を示すブロック図
【符号の説明】
【００５８】
１０  システム
２０  送信器
２４  変調器
２８  復調器
３２  受信器
１２６  位相遅延
１２８  カプラ
１３２  光電変換部
１３６  導波路
１２４  １×ｍカプラ
１３８  光学装置セット
１４０  信号の対
１４４、１４８  光学装置セット１３８の経路
【図１】
2008017443.tif 000003
【図２】
2008017443.tif 000004
【図３】
2008017443.tif 000005
【図４】
2008017443.tif 000006